(57)【特許請求の範囲】
【請求項１】
音響発生装置を備える薬剤注入装置であって、
前記薬剤注入装置は、駆動手段と、制御ユニットに対応したタイマーとを具備し、注入ストロークが終了し、薬剤が分散するのに必要な所定時間が経過したとき、前記音響装置は、使用者に薬剤の分散時間が経過したので針を抜いても良いことを示す音声信号を発生し、前記タイマーは前記駆動手段の操作完了から前記所定時間を測定し、前記制御ユニットは前記所定時間の完了時に前記タイマーをリセットし、注入操作に続いて経過する時間を測定することを特徴とする薬剤注入装置。
【請求項２】
前記薬剤注入装置は注入操作終了の信号を送ることを特徴とする請求項１に記載の薬剤注入装置。
【請求項３】
さらに、注入操作に続いて経過する時間を表示するディスプレイを含むことを特徴とする請求項１に記載の薬剤注入装置。
【請求項４】
さらに、前記駆動手段の作動の完了からの所定時間の終了を表示する手段を含むことを特徴とする請求項１に記載の薬剤注入装置。
【請求項５】
請求項１〜４のいずれかの請求項に記載の薬剤注入装置の駆動方法であって、
前記薬剤注入装置は、薬剤が収納された薬剤カートリッジ、制御ユニット、音響発生装置及び駆動手段を備え、
前記制御ユニットは、
ｉ）前記駆動手段を駆動して前記薬剤カートリッジから薬剤を放出する工程と、
ii）工程ｉ）の完了時に、タイマーを始動して薬剤が分散されている間の予め定めた所定の時間が経過するのを測定し、薬剤の分散時間が経過した後に前記音響装置に使用者に針を抜いても良いことを示す音声信号を発生させる工程と、
iii）前記工程ii）の完了時にタイマーをリセットし、前記工程ii）からの経過時間を測定する工程と、
を行うことを特徴とする薬剤注入装置の駆動方法。
【請求項６】
前記工程ii）は、前記工程ii）の完了時に発信する信号を発生することも含むことを特徴とする請求項５に記載の薬剤注入装置の駆動方法。
【請求項７】
前記工程iii）では、前記工程ii）からの経過時間を同時に表示することを特徴とする請求項５に記載の薬剤注入装置の駆動方法。
【発明の詳細な説明】
【技術分野】
【０００１】
本発明は薬剤注入装置に関する。特に、これに限定されるものではないが、本発明は電子的に制御される注入装置に適用され、薬剤の投与量を自己投与することが可能となる。
【背景技術】
【０００２】
一般には、上記装置は薬剤が収納されている薬剤カートリッジを使用し、また上記装置は針構成装置を介して管理された投与量の薬剤を供給する駆動機構を制御するマイクロプロセッサを具備する。この装置は使用者が容易に持ち運びできるよう充分に小型となっている。したがって、この装置は糖尿病患者が使用するために特に適している。
【０００３】
また、本発明は他の種類の薬剤注入装置にも適しており、例えば、投与設定と投与供給は単に機械的に行われることを特徴とするが、投与供給ストローク完了後にタイマーが作動し、投与供給ストローク完了からの経過時間を表示する注入装置にも適している。
【０００４】
どのような場合においても、使用時には、薬剤の所望の投与量が選定されると、薬剤注入装置の針ユニットが患者の体内に挿入される。この時、駆動機構が作動し、薬剤の選定された投与量を薬剤カートリッジから患者の体内へ送り込む。
【０００５】
ただし、一旦、注入がなされると、患者の体から針構成装置を抜き取る前に、注入された薬剤を患者の体内の注入個所から局部に分散させる必要がある。
【発明の開示】
【発明が解決しようとする課題】
【０００６】
従来の薬剤注入装置においては、注入間隔は、前回の注入時から経過した時間であり、注入された薬剤の分散後から測定されることというよりはむしろ供給ストロークの完了に続いて測定されることが問題であると考えられる。
【課題を解決するための手段】
【０００７】
本発明の第一の態様によれば、薬剤注入装置においては、注入動作に続いて経過した時間は、注入ストロークの完了後に薬剤が分散できる所定時間の終了時から計算される。
【０００８】
これには、注入間隔が分散期間の終了時から測定されるという利点がある。
【０００９】
好ましくは、薬剤注入装置は注入動作の完了に続いて音声信号を出力するようにする。このようにすると、薬剤が分散し終わるまで、使用者は不用意に薬剤注入装置を外さないという利点がある。
【００１０】
本発明の第二の態様によれば、タイマーを有するプロセッサを含む制御ユニット、薬剤を含んだ薬剤カートリッジ及び薬剤カートリッジから薬剤を放出可能にする針ユニット、音響発生装置及び薬剤カートリッジから薬剤を放出する駆動手段とを具備する薬剤注入装置の駆動方法であって、
前記制御ユニットは、
ｉ）前記駆動手段を駆動して前記薬剤カートリッジから薬剤を放出する工程と、
ii）工程ｉ）の完了時に、タイマーを始動して薬剤が分散されている間の予め定めた所定の時間が経過するのを測定し、薬剤の分散時間が経過した後に前記音響装置に使用者に針を抜いても良いことを示す音声信号を発生させる工程と、
を行うことを特徴とする。
【００１１】
好ましくは、工程ii）は、工程ii）の完了時に信号を発生する工程も含む。
【００１２】
好ましくは、前記方法はさらに、工程iii）と同時に、工程ii）からの経過時間を表示する工程を含む。
【図面の簡単な説明】
【００１３】
【図１】本発明の薬剤注射器の概略図である。
【発明を実施するための形態】
【００１４】
以下では、実施例のみに基づいて、添付の図面を参照しながら本発明を説明する。図１は、本発明による構成の概略図である。
【実施例１】
【００１５】
図面を参照すると、本発明に係る薬剤注入装置の概略構成が開示されている。薬剤注入装置２は、ハウジング４、制御ユニット又はマイクロプロセッサ６、駆動手段８、ピストン１０と針ユニット１２とを具備する。好ましくは交換可能な薬剤カートリッジ１４は、ピストン１０と針ユニット１２との間に配置される。薬剤カートリッジ１４は、針ユニットにより貫通されるように適応された第一端部での閉鎖部と、薬剤カートリッジの第二端部に向かって配置され、ピストン１０によって薬剤カートリッジ１４の第一端部に向かって駆動されるように適応された可動プランジャとを含んでいる。
【００１６】
制御ユニット又はマイクロプロセッサ６は、タイマーを含んでいる。使用時には、注入される薬剤の投与量が設定される。ここで、駆動手段８を作動させて、ピストン１０を駆動する。駆動手段８は、機械的に、又は制御ユニットもしくはマイクロプロセッサ６の制御により作動させてもよい。薬剤カートリッジ１４内部からの薬剤は、薬剤注入装置２から放出される。
【００１７】
図示されている実施例においては、マイクロプロセッサ６は駆動手段８を作動させて、ピストン１０を前進させる。しかし、これに代わる実施例では、駆動手段を手動で作動させて、ピストンを前進させてもよい。後者の場合には、マイクロプロセッサは駆動手段の作動を監視する。各々の場合に、ピストンが前進して、薬剤カートリッジの内部から薬剤の投与量を放出する。
【００１８】
また、薬剤注入装置６は、必要に応じて、また当技術分野で周知の、さらなる機能を果たすための他のエレメントを含んでいてもよい。
【００１９】
制御ユニット又はマイクロプロセッサ６に対応するタイマーは、ピストン１０の注入ストロークの動作完了時に作動する。薬剤が患者の体内で分散できるように所定時間を経過させる。この第一期間が完了すると、タイマーがゼロ点にリセットされ、再度作動する。この時、本発明に係るタイマーは注入間隔を記録する。
【００２０】
さらに、薬剤注入装置２にはディスプレイ１６を組み込んでいてもよい。ディスプレイはＬＣＤディスプレイを具備していると好都合である。ディスプレイ１６を使って、注入間隔の持続時間を表示してもよい。
【００２１】
また、薬剤注入装置２には、分散期間が経過したこと及び針ユニットを抜いてもよいことを使用者に知らせる音声発生装置などの信号装置１８を組込んでもよい。又は、使用者は、ディスプレイ１６上の注入間隔の表示を、分散期間が経過したことを充分に表示したものとして捉えることできる。
【００２２】
最初に、薬剤注入装置６の使用者は薬剤注入装置６を操作して、薬剤注入装置６によって注入する薬剤の投与量を選定する。ここで、針ユニット１２は患者の体に挿し込まれて、薬剤が注入される。そして、薬剤注入装置６を作動させて、ピストン１０を前進させる。
【００２３】
ここで、使用者は短時間経過するまで待って、薬剤を分散させる必要がある。針ユニット１２を抜くのが早過ぎると針の刺し傷から薬剤が抜け出し、投与されている薬剤の投与量が不適切になる。したがって、注入ストロークに続いて所定時間が経過すると、マイクロプロセッサ６は、針ユニット１２を患者から抜き取ってもよいことを表示する、可視又は音声、もしくはその両方の信号を発生するようにする。音声信号が必要な場合には、音声発生装置１８を使って信号を発生させてもよい。
【００２４】
信号が生成されると同時に、マイクロプロセッサ６はタイマーをゼロ点にリセットし、信号が生成されてからの経過時間を測定する。信号が生成されてからの時間を、ディスプレイ１６上で使用者に表示してもよい。
【図１】
0005044625.tif 000002